【手続補正書】
【提出日】平成22年7月30日(2010.7.30)
【手続補正１】
【補正対象書類名】特許請求の範囲
【補正対象項目名】請求項２
【補正方法】変更
【補正の内容】
【請求項２】
請求項１記載のズームレンズ系において、上記第２レンズは物体側に凸の形状を有し、次の条件式（２）を満足するズームレンズ系。
（２）-０．３＜（ｒａ-ｒｂ）／（ｒａ＋ｒｂ）＜０．３
但し、
ｒａ：第１レンズ群の第２レンズの物体側の面の曲率半径、
ｒｂ：第１レンズ群の第２レンズの像側の面の曲率半径。
【手続補正２】
【補正対象書類名】明細書
【補正対象項目名】０００８
【補正方法】変更
【補正の内容】
【０００８】
本ズームレンズ系において、第１レンズ群の第２レンズは物体側に凸の形状を有し、次の条件式（２）を満足することが好ましい。
（２）-０．３＜（ｒａ-ｒｂ）／（ｒａ＋ｒｂ）＜０．３
但し、
ｒａ：第１レンズ群の第２レンズの物体側の面の曲率半径、
ｒｂ：第１レンズ群の第２レンズの像側の面の曲率半径、
である。
【手続補正３】
【補正対象書類名】明細書
【補正対象項目名】００２１
【補正方法】変更
【補正の内容】
【００２１】
条件式（１）は、第１レンズ群を、物体側から順に、負の屈折力の第１レンズと、弱い屈折力の第２レンズと、正の屈折力の第３レンズの3枚で構成した上で、該第２レンズが満足すべき条件である。条件式（１）の下限を超えて第２レンズの正の屈折力が強くなると、第１レンズ群全体としてはある所定の負の屈折力を持つ必要があるため、第１レンズに強い負の屈折力を与えざるを得ず、第１レンズで発生する短焦点距離端でのコマ収差、非点収差、倍率色収差が補正不可能となる。条件式（１）の上限を超えて第２レンズの負の屈折力が強くなると、相対的に第１レンズの負の屈折力が弱くなり、負の屈折力を２枚の負レンズで分担することができるため一見収差補正に有利に見えるが、第２レンズのコバ厚が大きくなるので、第１レンズが絞りから離れ、レンズ径が大きくなってしまう。無理にレンズ径を小さくしようとすると短焦点距離端でコマ収差などの軸外収差が悪化する。
【手続補正４】
【補正対象書類名】明細書
【補正対象項目名】００２２
【補正方法】変更
【補正の内容】
【００２２】
条件式（２）は、第２レンズの形状を規定するものであり、第１レンズ群の厚さを大きくしないで、良好な収差補正を可能とする条件である。条件式（２）の下限を超えると、物体側の凸面に対して像側の凹面の曲率半径が大きく（緩く）なり、正のパワーが強くなり過ぎるので、短焦点距離端で周辺光束の第２レンズへの入射角度が大きくなり，コマ収差や非点収差などが悪化する。条件式（２）の上限を超えると、像側の凹面の曲率半径に対して物体側の凸面の曲率半径が大きく（緩く）なり、負のパワーが強くなり過ぎるので、第１レンズを通過する最周辺光束の高さが上がりやすくなり、無理に下げようとすると短焦点距離端での非点収差などの収差が悪化する。
【手続補正５】
【補正対象書類名】明細書
【補正対象項目名】００３０
【補正方法】変更
【補正の内容】
【００３０】
次に具体的な数値実施例を示す。諸収差図及び表中、球面収差で表される色収差（軸上色収差）図及び倍率色収差図中のｄ線、ｇ線、C線はそれぞれの波長に対する収差、Ｓはサジタル、Ｍはメリディオナル、FNO.はＦナンバー、fは全系の焦点距離、Wは半画角（゜）、fB はバックフォーカス、ｒは曲率半径、ｄはレンズ厚またはレンズ間隔、Ｎd はｄ線の屈折率、νアッベ数を示す。FNO.、f、W、及び変倍に伴って間隔が変化するレンズ間隔の値（ｄ値）は、短焦点距離端-中間焦点距離-長焦点距離端の順に示している。
また、回転対称非球面は次式で定義される。
x=cy2/[1+[1-(1+K)c2y2]1/2]+A4y4+A6y6+A8y8+A10y10+A12y12・・・
（但し、cは曲率（１／ｒ）、ｙは光軸からの高さ、Ｋは円錐係数、Ａ４、Ａ６、Ａ８
、・・・・・は各次数の非球面係数）
【手続補正６】
【補正対象書類名】明細書
【補正対象項目名】００３３
【補正方法】変更
【補正の内容】
【００３３】
（表１）
FNO.=1：2.6 - 3.8 - 6.2 
f  =  6.20 - 11.60 - 24.80（変倍比=4.00）
W  = 31.4  - 17.0  -  8.3
面No.        r          d             Nd          ν
1         -77.095      0.700        1.77250      49.6
2           7.047      1.480          -           -
3  ＊      27.514      0.900        1.54358      55.7
4  ＊      22.720      0.051          -           -
5          13.280      1.750        1.74000      28.3
6         593.598  18.386-8.852-1.620   -         -
7  ＊       5.832      2.079        1.59240      68.3
8  ＊     -22.168      0.100          -           -
9           8.784      1.700        1.80400      46.6
10        -14.805      1.000        1.80610      33.3
11          3.703  4.506-11.368-23.240  -         -
12 ＊      25.000      1.800        1.54358      55.7
13 ＊     -16.478  3.167-1.684-1.200    -         -
14           ∞        0.500        1.51633      64.1
15           ∞        0.510          -           -
16           ∞        0.500        1.51633      64.1
17           ∞
＊は非球面を表す。
非球面データ（表示していない非球面係数は0.00である。）；
K         A4              A6             A8           A10
NO.3   -0.10  0.18118×10-3  -0.22828×10-5   0.67111×10-6
NO.4   -0.10 -0.14308×10-3  -0.21763×10-5   0.38456×10-6   0.35925×10-9
NO.7   -0.10  0.61047×10-4   0.74034×10-5  -0.10731×10-6
NO.8   -0.10  0.19621×10-3   0.12596×10-4  -0.66327×10-6
NO.12  -0.10 -0.34857×10-3   0.31217×10-4   0.71511×10-6   0.26771×10-8
NO.13  -0.10 -0.45687×10-3   0.32045×10-4   0.11746×10-5
【手続補正７】
【補正対象書類名】明細書
【補正対象項目名】００３４
【補正方法】変更
【補正の内容】
【００３４】
［数値実施例２］
図５ないし図８と表２は、本発明のズームレンズ系の数値実施例２を示している。図５は、短焦点距離端無限遠物体合焦時のレンズ構成図、図６、図７、図８はそれぞれ、短焦点距離端、中間焦点距離、長焦点距離端それぞれの無限遠物体合焦時の諸収差図、表２はその数値データである。基本的なレンズ構成は、実施例１と同様であるが、第１レンズ群１０中の第２レンズ１２は、近軸で弱い正の屈折力を有し物体側に凸の両面非球面メニスカスレンズである。絞りＳは第２レンズ群２０（第７面）の前方（物体側）０．８００の位置にある。
（表２）
FNO.=1：2.6 - 3.8 - 6.3
f  =  6.36 - 11.60 - 26.08（変倍比=4.10）
W  = 30.8  - 17.1  -  7.9
面No.        r          d             Nd          ν
1         -69.450      0.700        1.72916      54.7
2           6.965      1.404          -           -
3  ＊      18.024      0.900        1.54358      55.7
4  ＊      19.722      0.100          -           -
5          13.715      1.750        1.72825      28.5
6         106.964  18.684-9.837-1.609   -         -
7  ＊       5.415      2.036        1.48749      70.2
8  ＊     -17.506      0.100          -           -
9           8.641      1.700        1.86300      41.5
10         -8.185      1.000        1.80610      33.3
11          3.688  4.533-11.782-24.321  -         -
12 ＊      40.000      1.800        1.54358      55.7
13 ＊     -14.163   3.546-1.491-1.200   -         -
14           ∞        0.500        1.51633      64.1
15           ∞        0.510
16           ∞        0.500        1.51633      64.1
17           ∞
＊は非球面を表す。
非球面データ（表示していない非球面係数は0.00である。）；
K         A4              A6             A8           A10
NO.3   -0.10  -0.34307×10-4   0.78080×10-7   0.62210×10-6
NO.4   -0.10  -0.35498×10-3  -0.20769×10-5   0.48099×10-6   -0.23019×10-8
NO.7   -0.10  -0.35290×10-4   0.12611×10-4  -0.65600×10-6
NO.8   -0.10   0.23009×10-3   0.21956×10-4  -0.14447×10-5
NO.12  -0.10  -0.47825×10-3   0.17588×10-4   0.17369×10-5   -0.14850×10-7
NO.13  -0.10  -0.65494×10-3   0.23807×10-4   0.16181×10-5
【手続補正８】
【補正対象書類名】明細書
【補正対象項目名】００３５
【補正方法】変更
【補正の内容】
【００３５】
［数値実施例３］
図９ないし図１２と表３は、本発明のズームレンズ系の数値実施例３を示している。図９は、短焦点距離端無限遠物体合焦時のレンズ構成図、図１０、図１１、図１２はそれぞれ、短焦点距離端、中間焦点距離、長焦点距離端それぞれの無限遠物体合焦時の諸収差図、表３はその数値データである。基本的なレンズ構成は第２レンズ群中の接合レンズを構成する第５レンズ２２が物体側に凸の正メニスカスレンズ、第６レンズ２３が像側に凹の負メニスカスレンズであることを除き、実施例１と同様であり、第１レンズ群１０中の第２レンズ１２は、近軸で弱い負の屈折力を有する。絞りＳは第２レンズ群２０（第７面）の前方（物体側）０．８００の位置にある。
（表３）
FNO.= 1：2.6 - 3.8 - 6.2 
f  =  6.21 - 11.66 - 24.91（変倍比=4.01）
W  = 31.4  - 17.0  -  8.3
面No.        r          d             Nd          ν
1        -186.915      0.70         1.72916      54.7
2           6.739      1.43           -           -
3  ＊      16.220      1.00         1.54358      55.7
4  ＊      14.059      0.34           -           -
5          13.073      1.75         1.72825      28.5
6         105.373   18.62-9.24-1.61     -         -
7  ＊       5.550      2.00         1.49700      81.6
8  ＊     -18.331      0.10           -           -
9           8.162      1.70         1.77250      49.6
10         14.193      1.00         1.71736      29.5
11          3.646   4.35-11.88-23.99    -         -
12 ＊      40.000      1.80         1.54358      55.7
13 ＊     -14.546    3.72-1.89-2.03      -        -
14           ∞        0.50         1.51633      64.1
15           ∞        0.51             -         -
16           ∞        0.50         1.51633      64.1
17           ∞         -
＊は非球面を表す。
非球面データ（表示していない非球面係数は0.00である。）；
K         A4              A6             A8           A10
NO.3   -0.10   -0.19409×10-3   0.85205×10-5   0.56788×10-6
NO.4   -0.10   -0.51591×10-3   0.71058×10-5   0.43629×10-6 -0.32794×10-8
NO.7   -0.10    0.29870×10-4   0.17325×10-4  -0.37250×10-6
NO.8   -0.10    0.15436×10-3   0.26954×10-4  -0.12397×10-5
NO.12  -0.10   -0.80505×10-3   0.18528×10-5   0.12797×10-5 -0.60111×10-9
NO.13  -0.10   -0.98850×10-3   0.74391×10-5   0.12513×10-5
【手続補正９】
【補正対象書類名】明細書
【補正対象項目名】００３６
【補正方法】変更
【補正の内容】
【００３６】
［数値実施例４］
図１３ないし図１６と表４は、本発明のズームレンズ系の数値実施例４を示している。図１３は、短焦点距離端無限遠物体合焦時のレンズ構成図、図１４、図１５、図１６はそれぞれ、短焦点距離端、中間焦点距離、長焦点距離端それぞれの無限遠物体合焦時の諸収差図、表４はその数値データである。基本的なレンズ構成は、第１レンズ群中の第１レンズ１１が像側に凹の負メニスカスレンズであることを除き、実施例１と同様であり、第１レンズ群１０中の第２レンズ１２は、近軸で弱い負の屈折力を有する。絞りＳは第２レンズ群２０（第７面）の前方（物体側）０．６００の位置にある。
（表４）
FNO.= 1：2.8 - 4.1 - 6.7 
f  =  6.26 - 12.30 - 25.10（変倍比=4.01）
W  = 32.5  - 17.1  - 8.6
面No.        r          d             Nd          ν
1         526.460      0.700        1.83481      42.7
2           7.848      0.148          -           -
3  ＊       7.116      0.900        1.54358      55.7
4  ＊       6.044      1.607          -           -
5          11.268      1.800        1.84666      23.8
6          35.042   17.711-7.122-1.665  -         -
7  ＊       5.639      1.650        1.58989      66.8
8  ＊     -22.488      0.100          -           -
9           7.445      1.527        1.72916      54.7
10        -44.766      1.000        1.80610      33.3
11          3.602   3.985-10.551-22.603  -        -
12 ＊      57.134      2.000        1.54358      55.7
13 ＊     -12.016   3.476-2.818-1.100   -         -
14           ∞        0.500        1.51633      64.1
15           ∞        0.510
16           ∞        0.500        1.51633      64.1
17           ∞
＊は非球面を表す。
非球面データ（表示していない非球面係数は0.00である。）；
K         A4              A6             A8           A10
NO.3   -0.10   -0.84739×10-3  0.31745×10-4  -0.24952×10-7
NO.4   -0.10   -0.11354×10-2  0.40415×10-4 -0.37568×10-6  0.41255×10-8
NO.7   -0.10    0.91892×10-4  0.18352×10-4  0.16391×10-7
NO.8   -0.10    0.16315×10-3  0.27049×10-4 -0.86945×10-6
NO.12  -0.10    0.24237×10-4  0.21832×10-4 -0.20904×10-5  0.42332×10-7
NO.13  -0.10    0.13910×10-3  0.22598×10-4 -0.21985×10-5  0.42676×10-7
【手続補正１０】
【補正対象書類名】明細書
【補正対象項目名】００３７
【補正方法】変更
【補正の内容】
【００３７】
［数値実施例５］
図１７ないし図２０と表５は、本発明のズームレンズ系の数値実施例５を示している。図１７は、短焦点距離端無限遠物体合焦時のレンズ構成図、図１８、図１９、図２０はそれぞれ、短焦点距離端、中間焦点距離、長焦点距離端それぞれの無限遠物体合焦時の諸収差図、表５はその数値データである。基本的なレンズ構成は、実施例２と同様であり、第１レンズ群１０中の第２レンズ１２は、近軸で弱い正の屈折力を有する。絞りＳは第２レンズ群２０（第７面）の前方（物体側）０．６００の位置にある。
（表５）
FNO.= 1：2.5 - 3.6 - 6.3 
f  =  6.54 - 12.60 - 28.13（変倍比=4.30）
W  = 31.5  - 16.6  - 7.7
面No.        r          d             Nd          ν
1         -66.088      0.700        1.83481      42.7
2           8.067      0.699          -           -
3  ＊      11.128      1.000       1.54358      55.7 
4  ＊      13.293      0.754          -           -
5          15.916      1.800        1.84666      23.8
6         130.803   18.941-8.042-1.301   -        -
7  ＊       5.841      1.650        1.69003      52.9
8  ＊     -29.793      0.100          -           -
9           8.393      1.752        1.80400      46.6
10        -12.041      1.000        1.90366      31.3
11          3.633   3.504-10.046-23.744  -        -
12 ＊      90.000      2.000        1.54358      55.7
13 ＊     -11.195      3.708 2.904 1.400  -       -
14           ∞        0.500        1.51633      64.1
15           ∞        0.510
16           ∞        0.500        1.51633      64.1
17           ∞
＊は非球面を表す。
非球面データ（表示していない非球面係数は0.00である。）；
K         A4              A6             A8           A10
NO.3   -0.10  -0.28335×10-3  0.20106×10-4   -0.22079×10-6
NO.4   -0.10  -0.55575×10-3  0.17677×10-4   -0.22979×10-6  -0.16721×10-8
NO.7   -0.10   0.16125×10-3  0.59516×10-5   -0.27267×10-6
NO.8   -0.10   0.16282×10-3  0.67142×10-5   -0.60815×10-6
NO.12  -0.10  -0.28257×10-4  0.45708×10-4   -0.35512×10-5   0.88272×10-7
NO.13  -0.10   0.12382×10-3  0.44099×10-4   -0.37066×10-5   0.91103×10-7